(57)【要約】【課題】電気機器内蔵ユニットと筐体との電気的接続及び分離の容易化を図るため、電気機器内蔵ユニットの装着動作に連動して電気的接続が達成できるようにすると共に、大型、大重量の電気機器内蔵ユニットに適用できるようにすること。【解決手段】電気機器内蔵ユニットと筐体との電気的接続装置において、電気機器内蔵ユニットを筐体内に着脱自在に装着してコネクタ同士を電気的に接続する場合に、筐体内設けた軌道部材で案内される電気機器内蔵ユニット自体の着脱動作により、電気機器内蔵ユニット側コネクタと筐体側コネクタとを挿抜可能とし、コネクタ同士を自動的に誘導して位置合わせを行い接続可能に構成した。【選択図】　図１
2004129945.tif 000002
【特許請求の範囲】
【請求項１】
電気機器内蔵ユニットと筐体との電気的接続装置において、該電気機器内蔵ユニットを筐体内に着脱自在に装着してコネクタ同士を電気的に接続する装置であって、該電気機器内蔵ユニット自体の着脱動作により、電気機器内蔵ユニット側コネクタと筐体側コネクタとを自動的に挿抜可能に構成したことを特徴とする電気的接続装置。
【請求項２】
前記電気機器内蔵ユニット側コネクタ及び筐体側コネクタは単数又は複数とし、該一方のコネクタを他方のコネクタに対して所定角度を含む所定位置へ調整移動可能に支持するようにした接続手段を有することを特徴とする請求項１に記載の電気的接続装置。
【請求項３】
前記接続手段は、前記電気機器内蔵ユニットの装着による接続開始に伴い前記一方のコネクタが他方のコネクタに対して所定角度を含む所定位置へ自動的に調整移動する手段を有することを特徴とする請求項１ないし請求項２のいずれかに記載の電気的接続装置。
【請求項４】
前記接続手段は、一対のコネクタマウントユニット及びコネクタ配設部とから成ることを特徴とする請求項１ないし請求項３のいずれかに記載の電気的接続装置。
【請求項５】
前記コネクタマウントユニット及びコネクタ配設部は、一対のコネクタ及び位置決め誘導手段を有することを特徴とする請求項１ないし請求項４のいずれかに記載の電気的接続装置。
【請求項６】
前記コネクタマウントユニットは、筐体側に配設されることを特徴とする請求項４ないし請求項５のいずれかに記載の電気的接続装置。
【請求項７】
前記コネクタマウントユニットは、ユニット側に配設されることを特徴とする請求項４ないし請求項５のいずれかに記載の電気的接続装置。
【請求項８】
前記コネクタ配設部は、電気機器内蔵ユニット側に配設されることを特徴とする請求項４ないし請求項５のいずれかに記載の電気的接続装置。
【請求項９】
前記コネクタ配設部は、筐体側に配設されることを特徴とする請求項４ないし請求項５のいずれかに記載の電気的接続装置。
【請求項１０】
前記コネクタマウントユニットは、可動手段と、付勢手段を有する保持手段と、取付手段とより成ることを特徴とする請求項４ないし請求項９のいずれかに記載の電気的接続装置。
【請求項１１】
前記可動手段は、前記保持手段内において包持され、かつその上面が離脱しないように接触規制されていることを特徴とする請求項１０に記載の電気的接続装置。
【請求項１２】
前記保持手段は、取付手段の上面に固着されていることを特徴とする請求項１０ないし請求項１１のいずれかに記載の電気的接続装置。
【請求項１３】
前記可動手段は、前記電気機器内蔵ユニット側コネクタの挿抜方向と直角な面内で前記一方のコネクタを調整移動可能とする手段から成ることを特徴とする請求項１０ないし請求項１２のいずれかに記載の電気的接続装置。
【請求項１４】
前記コネクタ配設部は、誘導穴又は誘導ピンを有することを特徴とする請求項４ないし請求項１３のいずれかに記載の電気的接続装置。
【請求項１５】
前記コネクタマウントユニットのコネクタ及び位置決め誘導手段は、前記可動手段に設けられていることを特徴とする請求項４ないし請求項１４のいずれかに記載の電気的接続装置。
【請求項１６】
前記コネクタマウントユニットは、誘導穴又は誘導ピンを有することを特徴とする請求項４ないし請求項１５のいずれかに記載の電気的接続装置。
【請求項１７】
前記位置決め誘導手段は、前記コネクタマウントユニット又はコネクタ配設部の一方の誘導穴と他方の誘導ピンとの少なくとも一対の組合せから成ることを特徴とする請求項５ないし請求項１６のいずれかに記載の電気的接続装置。
【請求項１８】
前記可動手段は、コネクタテンプレートとコネクタ基板とベアリングプレートとから成ることを特徴とする請求項１０に記載の電気的接続装置。
【請求項１９】
前記コネクタテンプレートは、前記コネクタ基板の上に配設され、前記誘導ピン又は誘導穴を有することを特徴とする請求項１８に記載の電気的接続装置。
【請求項２０】
前記コネクタ基板は、単数又は複数のコネクタを有することを特徴とする請求項１９に記載の電気的接続装置。
【請求項２１】
前記ベアリングプレートは、前記コネクタ基板の下に配設されると共に、前記保持手段の保持面上で調整移動が可能な脚部を有することを特徴とする請求項１０ないし請求項１８のいずれかに記載の電気的接続装置。
【請求項２２】
前記ベアリングプレートは、摩擦低減手段を有することを特徴とする請求項１８に記載の電気的接続装置。
【請求項２３】
前記摩擦低減手段は、自己潤滑性を有する材料から成ることを特徴とする請求項２２に記載の電気的接続装置。
【請求項２４】
前記付勢手段は、前記可動手段を付勢することを特徴とする請求項１０に記載の電気的接続装置。
【請求項２５】
前記付勢手段は、前記可動手段を前記電気機器内蔵ユニット側コネクタの挿抜方向と直角な面内で前記一方のコネクタを調整移動可能に付勢することを特徴とする請求項１０又は請求項２４に記載の電気的接続装置。
【請求項２６】
前記付勢手段は、前記保持手段により包持されることを特徴とする請求項２４ないし請求項２５のいずれかに記載の電気的接続装置。
【請求項２７】
前記付勢手段は、矩形状のセンタリングばね集合形成板の周辺に設けられたばね手段により形成されることを特徴とする請求項２４ないし請求項２６のいずれかに記載の電気的接続装置。
【請求項２８】
前記保持手段は、前側の面内運動ガイドレールと後側の面内運動ガイドレールとを有するホルダー本体と、センタリングばね集合形成板とから成ることを特徴とする請求項１０ないし請求項２７のいずれかに記載の電気的接続装置。
【請求項２９】
前記ホルダー本体の前側の面内運動ガイドレールは、前記可動手段の前記コネクタテンプレートの上面をその裏面で離脱しないように接触規制することを特徴とする請求項２８に記載の電気的接続装置。
【請求項３０】
前記誘導ピンは、前記コネクタテンプレートに一体形成され、前記コネクタを囲み又は挟む位置に設けられることを特徴とする請求項１６ないし請求項１９のいずれかに記載の電気的接続装置。
【請求項３１】
前記付勢手段は、前記可動部材の周囲に当接して配設されることを特徴とする請求項２４ないし請求項２７のいずれかに記載の電気的接続装置。
【請求項３２】
前記可動手段のベアリングプレートの裏面側は、コネクタ配線ひきまわしのための空間部を有することを特徴とする請求項２１ないし請求項２２のいずれかに記載の電気的接続装置。
【請求項３３】
前記誘導ピンは、円錐ピンから成ることを特徴とする請求項３０に記載の電気的接続装置。
【請求項３４】
前記コネクタマウントユニットは、電気機器内蔵ユニットが筐体から分離された非接続状態において、常にコネクタの挿抜方向と直角な面内での所定角度を含む所定位置に保持されるように前記可動部材を付勢して成ることを特徴とする請求項４ないし請求項３３のいずれかに記載の電気的接続装置。
【請求項３５】
前記取付手段は、前記保持手段を前方に付勢すると共にコネクタの挿抜方向に対し前後に移動可能に支持することを特徴とする請求項１０に記載の電気的接続装置。
【請求項３６】
前記取付手段は、ホルダーベース板と、ホルダーベース板ガイド機構と、取付ベース板とから成ることを特徴とする請求項３５に記載の電気的接続装置。
【請求項３７】
前記ホルダーベース板ガイド機構は、前記一方のコネクタを挿抜方向にガイドするガイド手段と、前記一方のコネクタを緩衝可能に支持する弾性的支持手段とを有することを特徴とする請求項３５ないし請求項３６のいずれかに記載の電気的接続装置。
【請求項３８】
前記ホルダーベース板は、該ホルダーベース板を貫通するガイドピンの大径頭部により抜け止め構造が形成されることを特徴とする請求項３６に記載の電気的接続装置。
【請求項３９】
前記ガイド手段は、前記ホルダーベース板を前記取付ベース板に立設したガイドピンに沿って案内することを特徴とする請求項３７ないし請求項３８のいずれかに記載の電気的接続装置。
【請求項４０】
前記弾性的支持手段は、前記ホルダーベース板と前記取付ベース板との間で前記ガイドピンの周りに配置されたコイルバネから成ることを特徴とする請求項３７に記載の電気的接続装置。
【請求項４１】
前記取付ベース板は、筐体の背板に固着されて成ることを特徴とする請求項３６に記載の電気的接続装置。
【請求項４２】
前記電気的接続装置において、前記筐体側には、電気機器内蔵ユニットを着脱自在に案内する軌道部材を設置すると共に、該電気機器内蔵ユニット下部には、前記軌道部材により案内される転動体又は摺動体を配設することを特徴とする請求項１ないし請求項４１のいずれかに記載の電気的接続装置。
【請求項４３】
前記電気的接続装置は、スロットユニット及び筐体から成る分離式スロットマシンに設けられたことを特徴とする請求項１ないし請求項４２のいずれかに記載の電気的接続装置。
【発明の詳細な説明】
【０００１】
【発明の属する利用分野】
この発明は、例えばコネクタにより、電気機器内蔵のユニットと筐体とを電気的に接続するための電気的接続装置に関し、詳しくは遊技機におけるスロットマシンのスロットを分離可能にユニット化し、該スロットユニットと筐体とを電気的に接続するための電気的接続構造に関するものである。
【０００２】
【従来の技術】
従来より遊技機のドラム装置、ドラム周辺表示板（上部前面化粧板）、遊技制御基板等をユニット化し、前面ドアを上下に分割してスロットユニットを前面ドアの開口に装着すると共に上部ドアを含むスロットユニットを筐体の一側に軸支するように構成し、スロットユニットを筐体に対して交換可能に構成することにより、スロットマシンの機種替えを容易にし、筐体側を再使用できるようにした分離型スロットマシンが知られている。
【０００３】
本出願人は、スロットをユニット化した分離型スロットマシンの改良に関する発明（特願２００２−２６１３７２号）を先に提案した。この分離型スロットマシンは、遊技用前面パネルを上下に分割し、その上部パネルと一体構成したスロットユニットと、該上下パネルにおける前面ドア部の新規な施錠構造を提案したもので、鍵の開錠動作又は前面ドアの開放と連動してスロットユニットが僅かに飛出すように構成すると共に、筐体内にユニットを装着する際、付勢されたばね力に抗して押込むことにより装着し、該ユニットと筐体との電気的接続はそれぞれのコネクタ同士を手作業により接続するように構成したものである。
また、別の従来技術として、役物をゲージ盤に装着した時、同時に電気的にも接続されるもの（特許文献１参照）があり、パチンコ機の裏側一側に軸支した機構枠体にスイッチを設け、機構枠体を閉めた時、スイッチがコネクタ端子に接続するもの（特許文献２参照）があり、蝶着した機構枠体を回路ボックスとに接離自由に接続する２つの端子を装備するもの（特許文献３参照）がある。
【０００４】
【特許文献１】実開昭６２−２１３８９号公報（第１頁、第７図）
【特許文献２】特公平２−５８９４５号公報（第２頁、第２図）
【特許文献３】特開平４‐３２７８７１号公報（第２−３頁、第２図）
【０００５】
【発明が解決しようとする課題】
本出願人の先願発明では、上記したようにスロットユニットと筐体との電気的接続はそれぞれのコネクタ同士を手作業により接続するようにしたものであるため、手間がかかる問題があり、特許文献１の技術は、大型、大重量のスロットユニットにそのまま応用した場合、コネクタ同士の相対位置合わせ、押込み装着により衝撃的に接続された場合のコネクタ保護の問題が未解決であり、また特許文献２及び特許文献３の技術については、接続する１組の端子同士が軸支によって案内されているため、両端子間の位置精度は比較的高く、筐体に対して平行移動して装着するスロットユニットにそのまま応用した場合、上記特許文献１の技術と同様のコネクタ同士の相対位置合わせや衝撃に対するコネクタ保護の問題が生じる。
【０００６】
本発明は、上記問題に鑑み、分離式スロットユニットの電気的接続装置だけに限らず、一般の筐体に対して分離可能な電気機器内蔵のユニットの電気的接続装置に広く適用可能であり、電気機器内蔵ユニットと筐体との電気的接続及び分離の容易化を図るため、電気機器内蔵ユニットの装着動作に連動して電気的接続が達成できるようにすることを基本課題とするものであって、さらに衝撃的に接続された場合でもコネクタを保護することができ、大型、大重量の電気機器内蔵ユニットに適用することができると共に、両コネクタ同士の相対位置合わせ精度を高くすることができ、さらにまたスロットユニット等の交換時における交換作業性を改善することができる分離式電気機器内蔵ユニットと筐体との電気的接続装置を提供することを目的とするものである。
【０００７】
【課題を解決するための手段】
本発明は上記の課題を解決する為になされたものであり、その解決の為に講じた本発明の手段と、その作用は次のとおりである。
【０００８】
請求項１では、電気機器内蔵ユニットと筐体との電気的接続装置において、電気機器内蔵ユニットを筐体内に着脱自在に装着してコネクタ同士を電気的に接続する装置であって、該電気機器内蔵ユニット自体の着脱動作により、電気機器内蔵ユニット側コネクタと筐体側コネクタとを自動的に挿抜可能に構成した電気的接続装置を提案する。
【０００９】
該電気的接続装置によれば、分離式の電気機器内蔵ユニットと筐体とのコネクタ同士の電気的接続が該ユニットの挿入又は引出しの着脱動作で、コネクタ同士の電気的接続と分離が簡単かつ便利に行われるので、スロットマシン用のユニットに限らず、一般の電気機器内蔵ユニットに適用可能であり、電気機器内蔵ユニットの装着動作に連動して筐体と電気機器内蔵ユニットとのコネクタ同士の電気的接続を達成することができると共に、電気機器内蔵ユニットと筐体との電気的接続の容易化が図れる。
【００１０】
請求項２では、請求項１の電気的接続装置において、前記電気機器内蔵ユニット側コネクタ及び筐体側コネクタは単数又は複数とし、該一方のコネクタを他方のコネクタに対して所定角度を含む所定位置へ調整移動可能に支持するようにした接続手段を有する電気的接続装置を提案する。
【００１１】
該電気的接続装置によれば、電気機器内蔵ユニット側の機能に応じてコネクタ数を単数又は複数とすることができ、接続するコネクタが単数又は複数であって、そのコネクタの取付位置に多少ずれが生じていたとしても、電気機器内蔵ユニットの装着動作に連動して所定位置又は所定角度にコネクタの接続位置を調整しつつ移動が可能であるので、電気機器内蔵ユニットと筐体との電気的接続の容易化が図れる。
【００１２】
請求項３では、請求項１ないし請求項２のいずれかの電気的接続装置において、前記接続手段は、前記電気機器内蔵ユニットの装着による接続開始に伴い前記一方のコネクタが他方のコネクタに対して所定角度を含む所定位置へ自動的に調整移動する手段を有する電気的接続装置を提案する。
【００１３】
該電気的接続装置によれば、電気機器内蔵ユニット側コネクタと筐体側コネクタとの取付位置に多少ずれがあったとしても、電気機器内蔵ユニットの装着による接続開始と連動して接続位置のずれを徐々に調整しつつ移動することが可能であるので、電気機器内蔵ユニットと筐体との電気的接続の容易化が図れる。
【００１４】
請求項４では、請求項１ないし請求項３のいずれかの電気的接続装置において、前記接続手段は、一対のコネクタマウントユニット及びコネクタ配設部とから成る電気的接続装置を提案する。
【００１５】
該電気的接続装置によれば、接続手段を一対の組合せで構成したから、ユニット側コネクタと筐体側コネクタとの取付位置に多少ずれがあったとしても、電気機器内蔵ユニットの装着による接続開始と連動して、一方の接続位置のずれを徐々に調整しつつ移動することが可能であるので、電気機器内蔵ユニットと筐体との電気的接続の容易化が図れる。
【００１６】
請求項５では、請求項１ないし請求項４のいずれかの電気的接続装置において、前記コネクタマウントユニット及びコネクタ配設部は、一対のコネクタ及び位置決め誘導手段を有する電気的接続装置を提案する。
【００１７】
該電気的接続装置によれば、接続手段をコネクタマウントユニット及びコネクタ配設部に設けた一対の組合せ構造とし、かつコネクタと位置決め誘導手段とをそれぞれ両者に設ける構成としたから、ユニット側コネクタと筐体側コネクタとの取付位置に多少ずれがあったとしても、電気機器内蔵ユニットの装着による接続開始と連動して、双方が接続位置のずれを徐々に調整しつつ移動することが可能であるので、電気機器内蔵ユニットと筐体との電気的接続の容易化が図れる。
【００１８】
請求項６では、請求項４ないし請求項５のいずれか電気的接続装置において、前記コネクタマウントユニットは、筐体側に配設される電気的接続装置を提案する。
【００１９】
該電気的接続装置によれば、接続手段としての一方のコネクタマウントユニットを筐体側に配設するので、コネクタマウントユニットの取付けが容易であると共に電気機器内蔵ユニット側の重量を軽くすることができるから、電気機器内蔵ユニットの着脱の作業性がよく、電気機器内蔵ユニットと筐体との電気的接続と分離の容易化が達成できる。
【００２０】
請求項７では、請求項４ないし請求項５のいずれかの電気的接続装置において、前記コネクタマウントユニットは、電気機器内蔵ユニット側に配設される電気的接続装置を提案する。
【００２１】
該電気的接続装置によれば、接続手段のコネクタマウントユニットを電気機器内蔵ユニット側に配設するので、コネクタマウントユニットの取付後の位置調整が容易であると共に高精度に取り付けすることができるから、接続の確実性を高めることができ電気機器内蔵ユニット装着の作業性がよく、電気機器内蔵ユニットと筐体との電気的接続の容易化が図れる。
【００２２】
請求項８では、請求項４ないし請求項５のいずれかの電気的接続装置において、前記コネクタ配設部は、電気機器内蔵ユニット側に配設される電気的接続装置を提案する。
【００２３】
該電気的接続装置によれば、接続手段としての一方のコネクタ配設部を電気機器内蔵ユニット側に配設するので、コネクタ配設部の取付けが容易であると共に電気機器内蔵ユニット側の重量を軽くすることができるから、電気機器内蔵ユニットの着脱の作業性がよく、電気機器内蔵ユニットと筐体との電気的接続と分離の容易化が達成できる。
【００２４】
請求項９では、請求項４ないし請求項５のいずれかの電気的接続装置において、前記コネクタ配設部は、筐体側に配設される電気的接続装置を提案する。
【００２５】
該電気的接続装置によれば、接続手段のコネクタ配設部を筐体側に配設するので、コネクタ配設部の取付固定が確実にできると共に位置調整も高精度に行うことができるから、コネクタ同士の接続の確実性を高めることができると共に電気機器内蔵ユニット装着の作業性がよく、電気機器内蔵ユニットと筐体との電気的接続の容易化が図れる。
【００２６】
請求項１０では、請求項４ないし請求項９のいずれかの電気的接続装置において、前記コネクタマウントユニットは、可動手段と、付勢手段を有する保持手段と、取付手段とより成る電気的接続装置を提案する。
【００２７】
該電気的接続装置によれば、コネクタマウントユニットは、可動手段と付勢手段を有する保持手段と取付手段の構成で形成されるので、コネクタ同士の接続位置の調整移動の自由度が高くできるから、電気機器内蔵ユニットと筐体とに対するコネクタの取付位置が多少ずれても許容範囲が大きく作業性をよくすることができる。
【００２８】
請求項１１では、請求項１０の電気的接続装置において、前記可動手段は、前記保持手段内において包持され、かつその上面が離脱しないように接触規制されている電気的接続装置を提案する。
【００２９】
該電気的接続装置によれば、前記可動手段によるコネクタ同士の接続位置の調整移動が容易であると共に前記保持手段内にしっかり包持することができるので、構造が簡単であり、各種サイズ違いの機種にも容易に適用することができる。
【００３０】
請求項１２では、請求項１０ないし請求項１１のいずれかの電気的接続装置において、前記保持手段は、取付手段の上面に固着されている電気的接続装置を提案する。
【００３１】
該電気的接続装置によれば、コネクタマウントユニットの保持手段を取付手段とは別体に構成するので、前記可動手段によるコネクタ取付位置に制約を受けることなく、取付手段に固着することができるから、取付の作業性がよく、大小の各種サイズ違いの機種にも容易に適用することができる。
【００３２】
請求項１３では、請求項１０ないし請求項１２のいずれかの電気的接続装置において、前記可動手段は、前記電気機器内蔵ユニット側コネクタの挿抜方向と直角な面内で前記一方のコネクタを調整移動可能とする手段から成る電気的接続装置を提案する。
【００３３】
該電気的接続装置によれば、前記可動手段は、コネクタの挿抜方向と直角な面内での調整移動が上下、左右に可能としたので、コネクタ同士の接続位置の調整移動の自由度が高くできるから、電気機器内蔵ユニットと筐体とに対するコネクタ取付の許容範囲が大きく、作業性もよくすることができる。
【００３４】
請求項１４では、請求項４ないし請求項１３のいずれかの電気的接続装置において、前記コネクタ配設部は、誘導穴又は誘導ピンを有する電気的接続装置を提案する。
【００３５】
該電気的接続装置によれば、接続手段としてのコネクタ配設部に誘導穴又は誘導ピンを設けた構造として、コネクタの位置決め誘導を該誘導穴又は誘導ピンにより行う構成としたから、電気機器内蔵ユニット側コネクタと筐体側コネクタとの取付位置に多少ずれがあったとしても、電気機器内蔵ユニットの装着による接続開始と連動して、双方が接続位置のずれを徐々に調整しつつ接続することが可能であるので、電気機器内蔵ユニットと筐体との電気的接続の確実性と容易化が図れる。
【００３６】
請求項１５では、請求項４ないし請求項１４のいずれかの電気的接続装置において、前記コネクタマウントユニットのコネクタ及び位置決め誘導手段は、前記可動手段に設けられている電気的接続装置を提案する。
【００３７】
該電気的接続装置によれば、コネクタマウントユニットのコネクタ及び位置決め誘導手段を前記可動手段に設けたので、電気機器内蔵ユニット側コネクタと筐体側コネクタとのコネクタ同士の取付位置に多少ずれがあったとしても、前記可動手段の調整移動が可能であり、電気機器内蔵ユニットの装着によるコネクタ同士の接続開始と連動して、位置決め誘導手段により接続位置のずれを徐々に調整しつつコネクタ同士を接続することが可能であるので、電気機器内蔵ユニットと筐体との電気的接続の確実性と容易化が図れる。
【００３８】
請求項１６では、請求項４ないし請求項１５のいずれかの電気的接続装置において、前記コネクタマウントユニットは、誘導穴又は誘導ピンを有する電気的接続装置を提案する。
【００３９】
該電気的接続装置によれば、接続手段としてのコネクタマウントユニットに誘導穴又は誘導ピンを設けた構造として、コネクタの位置決め誘導を該誘導穴又は誘導ピンにより行う構成としたから、電気機器内蔵ユニット側コネクタと筐体側コネクタとの取付位置に多少ずれがあったとしても、電気機器内蔵ユニットの装着による接続開始と連動して、誘導穴又は誘導ピンにより接続位置のずれを徐々に調整しつつ接続することが可能であるので、電気機器内蔵ユニットと筐体との電気的接続の確実性と容易化が図れる。
【００４０】
請求項１７では、請求項５ないし請求項１６のいずれかの電気的接続装置において、前記位置決め誘導手段は、前記コネクタマウントユニット又はコネクタ配設部の一方の誘導穴と他方の誘導ピンとの少なくとも一対の組合せから成る電気的接続装置を提案する。
【００４１】
該電気的接続装置によれば、コネクタの位置決め誘導手段としての誘導穴又は誘導ピンをコネクタマウントユニットとコネクタ配設部とに一対の組合せとして両者に設ける構成としたから、電気機器内蔵ユニット側コネクタと筐体側コネクタとの取付位置に多少ずれがあったとしても、電気機器内蔵ユニットの装着による接続開始と連動して、双方が接続位置のずれを誘導穴と誘導ピンとにより徐々に誘導調整しつつ接続することが可能であるので、電気機器内蔵ユニットと筐体との電気的接続の容易化と確実性を図ることができる。
【００４２】
請求項１８では、請求項１０の電気的接続装置において、前記可動手段は、コネクタテンプレートとコネクタ基板とベアリングプレートとから成る電気的接続装置を提案する。
【００４３】
該電気的接続装置によれば、前記可動手段をコネクタテンプレートとコネクタ基板とベアリングプレートから構成したので、コネクタの接続位置を誘導する部材、コネクタ同士を接続する部材、この２者を支持する部材とに別々に形成することにより、各部材を各機能別に構成することができるから、コネクタ同士を接続する誘導調整の自由度が高くできるから、電気機器内蔵ユニットと筐体におけるコネクタの取付位置が多少ずれていても調整移動の許容範囲が大きく、作業性をよくすることができる。
【００４４】
請求項１９では、請求項１８の電気的接続装置において、前記コネクタテンプレートは、前記コネクタ基板の上に配設され、前記誘導ピン又は誘導穴を有する電気的接続装置を提案する。
【００４５】
該電気的接続装置によれば、誘導穴又は誘導ピンをコネクタ基板とは別体のコネクタテンプレート設けた構造として、位置調整による接触摩滅部を負担させるので、摩滅消耗後の部品交換が容易であると共に該装置の維持コストを低減することができる。
【００４６】
請求項２０では、請求項１９の電気的接続装置において、前記コネクタ基板は、単数又は複数のコネクタを有する電気的接続装置を提案する。
【００４７】
該電気的接続装置によれば、コネクタ基板には単数又は複数のコネクタを設けることができる構造としたので、電気機器内蔵ユニット側の機能に応じてコネクタ数を自由に設定可能であり、既成品のコネクタを複数組合せる設計にするなら該装置の製造コストを低減することができ、専用品のコネクタを単数使用する設計にするなら該装置全体を小型化できる。
【００４８】
請求項２１では、請求項１０ないし請求項１８のいずれかの電気的接続装置において、前記ベアリングプレートは、前記コネクタ基板の下に配設されると共に、前記保持手段の保持面上で調整移動が可能な脚部を有する電気的接続装置を提案する。
【００４９】
該電気的接続装置によれば、前記可動手段におけるベアリングプレートを別体の構成としたので、電気機器内蔵ユニットの押込み装着時に押圧力を受けつつ、前記可動手段を保持手段に対してスムーズに相対移動できるように脚部を形成することができ、相対移動による摩滅消耗後の部品交換が容易であると共に該装置の維持コストを低減することができる。
【００５０】
請求項２２では、請求項１８の電気的接続装置において、前記ベアリングプレートは、摩擦低減手段を有する電気的接続装置を提案する。
【００５１】
該電気的接続装置によれば、前記ベアリングプレートを摩擦低減手段を有するものとしたので、電気機器内蔵ユニットの押込み装着時に押圧力を受けつつ、前記可動手段を保持手段に対してスムーズに相対移動できるように脚部に摩擦低減手段を施すことができ、例えば該脚部を接触面積を小さくした形状で形成することなどにより、相対移動による摩擦低減を図り、摩滅消耗後の部品交換が容易であると共に該装置の維持コストを低減することができる。
【００５２】
請求項２３では、請求項２２の電気的接続装置において、前記摩擦低減手段は、自己潤滑性を有する材料から成る電気的接続装置を提案する。
【００５３】
該電気的接続装置によれば、前記ベアリングプレートの摩擦低減手段を自己潤滑性を有する材料としたので、例えば保持手段に対して相対移動する脚部を自己潤滑性を有する材料で形成すれば、相対移動による摩擦低減を図ることができ、摩滅消耗後の部品交換が容易であると共に該装置の維持コストを低減することができる。
【００５４】
請求項２４では、請求項１０の電気的接続装置において、前記付勢手段は、前記可動手段を付勢する電気的接続装置を提案する。
【００５５】
該電気的接続装置によれば、前記付勢手段により前記可動手段を付勢するように構成したので、コネクタは常時中央部に付勢されていると共に接続時のコネクタ同士の取付位置が多少ずれていたとしても、該付勢手段に抗して電気機器内蔵ユニットの装着動作に連動して所定位置又は所定角度にコネクタの接続位置を調整しつつ移動することが許容されるので、電気機器内蔵ユニットと筐体との電気的接続の確実性と容易化が図れる。
【００５６】
請求項２５では、請求項１０又は請求項２４の電気的接続装置において、前記付勢手段は、前記可動手段を前記電気機器内蔵ユニット側コネクタの挿抜方向と直角な面内で前記一方のコネクタを調整移動可能に付勢する電気的接続装置を提案する。
【００５７】
該電気的接続装置によれば、前記可動手段は、コネクタの挿抜方向と直角な面内での調整移動が付勢手段により上下、左右に可能であるので、コネクタ同士の接続位置の調整移動の自由度が高くできるから、電気機器内蔵ユニットと筐体とに対するコネクタ取付の許容範囲が大きく、作業性もよくすることができる。
【００５８】
請求項２６では、請求項２４ないし請求項２５のいずれかの電気的接続装置において、前記付勢手段は、前記保持手段により包持される電気的接続装置を提案する。
【００５９】
該電気的接続装置によれば、前記付勢手段によるコネクタ同士の接続位置の調整移動が容易であると共に前記保持手段内にしっかり包持することができるので、構造的に簡単でかつ許容範囲が大きく、大小の各種サイズ違いの機種にも容易に適用することができる。
【００６０】
請求項２７では、請求項２４ないし請求項２６のいずれかの電気的接続装置において、前記付勢手段は、矩形状のセンタリングばね集合形成板の周辺に設けられたばね手段により形成される電気的接続装置を提案する。
【００６１】
該電気的接続装置によれば、前記付勢手段が矩形状のセンタリングばね集合形成板の周辺に設けられたばね手段により形成されるので、前記可動部材を常時その中央位置に付勢することができ、コネクタ同士の接続位置の調整移動が容易であると共に前記保持手段内にしっかり包持することができるので、構造的に簡単でかつ許容範囲が大きく、大小の各種サイズ違いの機種にも容易に適用することができる。
【００６２】
請求項２８では、請求項１０ないし請求項２７のいずれかの電気的接続装置において、前記保持手段は、前側の面内運動ガイドレールと後側の面内運動ガイドレールとを有するホルダー本体と、センタリングばね集合形成板とから成る電気的接続装置を提案する。
【００６３】
該電気的接続装置によれば、前記可動手段をホルダー本体の前後側の面内運動ガイドレールで保持し、センタリングばね集合形成板のばねにより付勢支持するように構成したので、コネクタ同士の接続位置の調整移動の自由度が高くできるから、コネクタは常時中央部に付勢されていると共に接続時のコネクタ同士の取付位置が多少ずれていたとしても、該付勢手段に抗して電気機器内蔵ユニットの装着動作に連動して所定位置又は所定角度にコネクタの接続位置を調整しつつ移動することが許容されるので、電気機器内蔵ユニットと筐体との電気的接続の確実性と容易化が図れる。
【００６４】
請求項２９では、請求項２８の電気的接続装置において、前記ホルダー本体の前側の面内運動ガイドレールは、前記可動手段の前記コネクタテンプレートの上面をその裏面で離脱しないように接触規制する電気的接続装置を提案する。
【００６５】
該電気的接続装置によれば、前記可動手段をホルダー本体の前側の面内運動ガイドレールでコネクタテンプレートの上面をその裏面側でしっかり保持し、離脱しないように規制するように構成したので、コネクタ同士の接続位置の調整移動の自由度を高く許容しつつ、前記可動手段を確実に保持できるから、電気機器内蔵ユニットと筐体との電気的接続の確実性と容易化が図れる。
【００６６】
請求項３０では、請求項１６ないし請求項１９のいずれかの電気的接続装置において、前記誘導ピンは、前記コネクタテンプレートに一体形成され、前記コネクタを囲み又は挟む位置に設けられる電気的接続装置を提案する。
【００６７】
該電気的接続装置によれば、コネクタテンプレートに一体形成した誘導ピンにより、コネクタを囲み又は挟むようにした構造としたので、コネクタの位置との誤差を最小にすることができ、コネクタの位置決め誘導をより確実に行うことができる。
【００６８】
請求項３１では、請求項２４ないし請求項２７のいずれかの電気的接続装置において、前記付勢手段は、前記可動部材の周囲に当接して配設される電気的接続装置を提案する。
【００６９】
該電気的接続装置によれば、前記付勢手段により前記可動手段の周囲を付勢するように構成したので、コネクタは常時中央部に付勢されていると共に接続時のコネクタ同士の取付位置が多少ずれていたとしても、該付勢手段に抗して電気機器内蔵ユニットの装着動作に連動して所定位置又は所定角度にコネクタの接続位置を調整しつつ移動することが許容されるので、電気機器内蔵ユニットと筐体との電気的接続の確実性と容易化が図れる。
【００７０】
請求項３２では、請求項２１ないし請求項２２のいずれかの電気的接続装置において、前記可動手段のベアリングプレートの裏面側は、コネクタ配線ひきまわしのための空間部を有する電気的接続装置を提案する。
【００７１】
該電気的接続装置によれば、前記可動手段のベアリングプレートの裏面側にコネクタ配線ひきまわしのための空間部を形成したので、コネクタ配線により可動部材の調整移動が妨げられることがなく、スムーズにコネクタの接続位置の調整が許容される。
【００７２】
請求項３３では、請求項３０の電気的接続装置において、前記誘導ピンは、円錐ピンから成る電気的接続装置を提案する。
【００７３】
該電気的接続装置によれば、コネクタテンプレートに一体形成した誘導ピンの先端部を円錐状に形成したので、相手側の誘導穴とのずれを調整する際の誘導をスムーズに行わせることができ、コネクタの位置決め接続を迅速かつ確実で容易に行うことができる。
【００７４】
請求項３４では、請求項４ないし請求項３３のいずれかの電気的接続装置において、前記コネクタマウントユニットは、電気機器内蔵ユニットが筐体から分離された非接続状態において、常にコネクタの挿抜方向と直角な面内での所定角度を含む所定位置に保持されるように前記可動部材を付勢して成る電気的接続装置を提案する。
【００７５】
該電気的接続装置によれば、コネクタ同士の非接続状態においては、常に前記可動部材を当初の所定位置に付勢保持するようにしたので、電気機器内蔵ユニットを再装着する場合や交換した場合でも、特別なメンテナンスを必要とすることなく、安定した精度を維持しつつコネクタ同士の接続を行うことができる。
【００７６】
請求項３５では、請求項１０の電気的接続装置において、前記取付手段は、前記保持手段を前方に付勢すると共にコネクタの挿抜方向に対し前後に移動可能に支持する電気的接続装置を提案する。
【００７７】
該電気的接続装置によれば、前記取付手段により前記保持手段を常に前方に付勢しているので、電気機器内蔵ユニットを装着する際の押込みによるコネクタに対する衝撃を前記取付手段が後退しつつ吸収緩和するようにしたので、コネクタを衝撃から保護することができる。
【００７８】
請求項３６では、請求項３５の電気的接続装置において、前記取付手段は、ホルダーベース板と、ホルダーベース板ガイド機構と、取付ベース板とから成る電気的接続装置を提案する。
【００７９】
該電気的接続装置によれば、前記取付手段をホルダーベース板と、ホルダーベース板ガイド機構と、取付ベース板とを別々の部材から形成するようにしたので、簡単な構造でありながら、ホルダーベース板ガイド機構により衝撃の吸収緩和を効率よく行うことができ、ホルダーベース板への前記保持手段の固着も容易に行うことができる。
【００８０】
請求項３７では、請求項３５ないし請求項３６のいずれかの電気的接続装置において、前記ホルダーベース板ガイド機構は、前記一方のコネクタを挿抜方向にガイドするガイド手段と、前記一方のコネクタを緩衝可能に支持する弾性的支持手段とを有する電気的接続装置を提案する。
【００８１】
該電気的接続装置によれば、前記ガイド手段によりコネクタの挿抜方向に前記保持手段をガイドし、弾性的支持手段によりコネクタを緩衝可能に付勢支持するので、電気機器内蔵ユニットを装着する際の押込みによるコネクタの挿抜方向が前記ガイド手段によりずれることがなく、常に一定方向の衝撃を吸収緩和することができるから、コネクタへの衝撃を効率よく吸収緩和することができる。
【００８２】
請求項３８では、請求項３６の電気的接続装置において、前記ホルダーベース板は、該ホルダーベース板を貫通するガイドピンの大径頭部により抜け止め構造が形成される電気的接続装置を提案する。
【００８３】
該電気的接続装置によれば、電気機器内蔵ユニットを装着する際の押込みによりコネクタに対して衝撃が与えられても、ホルダーベース板が抜け止め構造とされているので、前記保持部材が取付手段から外れて脱落したりするのを防止でき、コネクタに対する常に安定した衝撃の吸収緩和をなすことができる。
【００８４】
請求項３９では、請求項３７ないし請求項３８のいずれかの電気的接続装置において、前記ガイド手段は、前記ホルダーベース板を前記取付ベース板に立設したガイドピンに沿って案内する電気的接続装置を提案する。
【００８５】
該電気的接続装置によれば、前記ガイドピンによりコネクタの挿抜方向へ前記保持手段をガイドするので、電気機器内蔵ユニットを装着する際の押込みによるコネクタの挿抜方向からずれることがなく、常に一定方向の衝撃を吸収緩和することができるので、コネクタへの衝撃を効率よく吸収緩和することができる。
【００８６】
請求項４０では、請求項３７の電気的接続装置において、前記弾性的支持手段は、前記ホルダーベース板と前記取付ベース板との間で前記ガイドピンの周りに配置されたコイルバネから成る電気的接続装置を提案する。
【００８７】
該電気的接続装置によれば、前記弾性的支持手段をコイルバネで形成したものであるので、前記ガイドピンへの装着が簡単であり、電気機器内蔵ユニットの重量やサイズに応じたコイルバネの選択が容易であり、コネクタへの衝撃を効率よく緩和することができる。
【００８８】
請求項４１では、請求項３６の電気的接続装置において、前記取付ベース板は、筐体の背板に固着されて成る電気的接続装置を提案する。
【００８９】
該電気的接続装置によれば、コネクタの保持手段を固着する取付手段の取付ベース板を筐体の背板に固着するので、
取付固定が確実にできる結果、前記取付手段の取付位置の調整も高精度に行うことができるから、コネクタ同士の接続の確実性を高めることができ、電気機器内蔵ユニット装着の作業性がよくなると共に、電気機器内蔵ユニットと筐体との電気的接続の容易化が図れる。
【００９０】
請求項４２では、請求項１ないし請求項４１のいずれかの電気的接続装置において、筐体側には、電気機器内蔵ユニットを着脱自在に案内する軌道部材を設置すると共に、該電気機器内蔵ユニット下部には、前記軌道部材により案内される転動体又は摺動体を配設する電気的接続装置を提案する。
【００９１】
該電気的接続装置によれば、電気機器内蔵ユニットを筐体へ装着する際、筐体に設置した軌道部材に該ユニットを載置して押し込むことによる電気機器内蔵ユニットのコネクタ同士の接続ガイドを精度よく行うことができると共に、該ユニットの装着も容易で作業性を改善することでき、かつコネクタの接続精度も向上することができる。
【００９２】
請求項４３では、請求項１ないし請求項４２のいずれかの電気的接続装置において、前記電気的接続装置は、スロットユニット及び筐体から成る分離式スロットマシンに設けられた電気的接続装置を提案する。
【００９３】
該電気的接続装置によれば、分離式スロットユニットの筐体に対する装着するだけの動作に連動して電気的接続が達成できると同時に、前記ユニットと筐体とのコネクタ同士の相対位置合わせ精度を高くすることができるので、スロットユニットの交換時における交換作業性を改善することができると共に、衝撃的に接続された場合でもコネクタを保護することができ、大型、大重量のスロットユニットに適用することができるから、ユニットと筐体との電気的接続の容易化を図ることができるものである。
【００９４】
【本発明の実施の形態】
図１は、分離式スロットマシン１００の全体概略図を示す。スロットマシン１００は、後部にマシン本体である筐体１と、その上部には、前部に遊技表示板及び遊技表示器等の上部前面化粧体を有する上部扉１０２と、その後方に設置されたドラムユニット２１とを備え、その内部又は外面に図外の遊技制御基板とを備えたスロットユニット（電気機器内蔵ユニット）２と、下部に遊技操作レバー、ボタン、メダル投入口及びメダル受け等を備える下部扉１０３を有する下ユニット３と、その後方の筐体１の底板上に設置された図外のメダル払い出しユニットとから構成されている。
【００９５】
前記ドラムユニット２１と上部扉１０２とは、正面左端においてヒンジ結合により一体的に固着されている。本実施形態の分離式スロットマシン１００においては、スロットユニット２に一体的構造の上部扉１０２と、下部扉１０３とは、完全分離型に構成されるものである。
【００９６】
図１において、筐体１の上部には、上部前面化粧体を有する上部扉１０２と、ドラムユニット２１と、図外の遊技制御基板とから成るスロットユニット２が着脱自在に取り付けられており、下部には、扉の開閉を鍵の開閉により行うように形成したロック操作部を備える下部扉１０３が開閉可能に形成されている。本実施形態では、スロットユニット２は、ロック操作部の鍵開錠により、筐体１から前方へユニットごと分離して取り出せるように構成されている。
【００９７】
前記スロットユニット２は、該スロットユニット２の下部に設けられたコロ２２により、筐体１のスロットユニット載置台１４に設けられたガイドレールに沿ってスロットマシン１００の前側からスライド挿入して押し込むことで、例えばロック操作部に連動されるロックアームに係合してロックされる。スロットユニット２の押し込みは、ガイドレールを後方に下降傾斜するように配設れば、容易に行うことができる。
【００９８】
分離型スロットマシン１００において、スロットユニット２の後部中央部に、電気的接続装置としてのコネクタ配設部４０を固定的に設置する一方、筐体１側中央部に、受側の電気的接続装置であるコネクタマウントユニット２００を固定的に設けている。両者の電気的な接続装置の構造は、スロットユニット２を筐体１に装着する際、スロットユニット２を筐体１の前方より押込む動作の進行に伴ない、該スロットユニット２の後方中央部下方に配設したコネクタ配設部４０と、筐体１の背板に配設した筐体側のコネクタマウントユニット２００とを接続させるようにした構造としている。
【００９９】
（スロットユニット側コネクタ配設部４０の説明）
図２は、スロットユニット２側の後方に配設したコネクタ配設部４０の拡大概略図である。コネクタ配設部４０のコネクタ配設板４５にはコネクタ群４６、４６’をその中央部に配置し、それを挟む形の配置状態で誘導穴４７、４７が図示のように設けられている。この誘導穴４７、４７は、後述する筐体側のコネクタマウントユニット２００の誘導ピンを受け入れるように形成したものであり、雄型コネクタ４６は、同じくコネクタマウントユニット２００の雌型コネクタと接続され、雌型コネクタ４６’は、コネクタマウントユニット２００の雄型コネクタと接続されるように形成されているものである。なお、コネクタ群４６や誘導穴４７或いは誘導ピンは、複数でなく、単数のものに代えてもよいことは勿論である。
【０１００】
（筐体側コネクタマウントユニット２００の構造説明）
図３は、筐体１の中央部に固定的に設けられたコネクタマウントユニット２００の正面図である。コネクタマウントユニット２００は、ムービングピース（可動手段）２１０と、ホルダー（保持手段）２２０と、ホルダーマウント（取付手段）２３０とから構成されている。
【０１０１】
図４は、コネクタマウントユニット２００の断面図である。ムービングピース２１０をスライド調整可能に保持したホルダー２２０がホルダーマウント２３０上に取り付けられている状態を示している。
【０１０２】
（ムービングピース２１０の説明）
ムービングピース（可動手段）２１０は、ホルダー（保持手段）２２０の前側の面内運動ガイドレール２２１とホルダー２２０の背板（後側の面内運動ガイドレール）との間に包持され、前記センタリングばね（付勢手段）２７１により上下左右方向の調整移動が自在でセンタリング可能に保持されるように構成されている。このため、ホルダー２２０は、ムービングピース２１０が調整移動可能なように、ムービングピース２１０よりも幾分大き目のサイズに形成されているものである。図４のＤ断面図に示すように、ムービングピース２１０は、先端に円錐部２４７を有する誘導ピン２４５、２４５を左右に立設すると共に筐体側コネクタ２５１を挿通する適宜数の開口を設けたコネクタテンプレート２４０と、その裏面に配置したコネクタ基板２５０と、更にその裏面に配設して前記二者を支持するベアリングプレート２６０とから構成されており、ねじ止めにより一体的に固着されている。ホルダー２２０の前側の面内運動ガイドレール２２１は、コネクタ分離時にはムービングピース２１０のコネクタテンプレート２４０の上面をその裏面側でしっかり保持し、離脱しないように規制する。誘導ピンを複数使用する場合、各誘導ピンを、コネクタを囲む又は挟む位置に設ければ、誘導ピンの位置におけるスロットユニット２側のコネクタ配設板４５と筐体１側のムービングピース２１０とのずれ量よりも、コネクタ位置におけるずれ量を常に小さく保つことができる。
【０１０３】
本実施形態では、２個の誘導ピンを設けた例で説明するが、誘導ピンは前記したように１個使用のものでもよいし、３個以上使用するものでもよい。１個使用の場合は、コネクタは円形のものとすると接続がし易い構造とすることができる。矩形状のコネクタの使用する場合は、少なくとも２個の誘導ピンとする方が位置決め精度をより良くすることができるのでよい。
【０１０４】
該コネクタ基板２５０には、前記誘導ピン２４５、２４５間に配置された適宜数の筐体側コネクタ２５１が設けられている。該誘導ピン２４５、２４５は、スロットユニット側のコネクタと筐体側コネクタ２５１との位置合わせを確実にするため、筐体側コネクタ２５１の外形よりもひとまわり大きく形成された前記開口の位置を基準にして形成されるものである。
【０１０５】
前記ベアリングプレート２６０は、その裏面側に該コネクタ２５１に接続されるコネクタ配線を収容可能とした空間が形成されると共に、前記ホルダー２２０の背板に当接され、面内運動が軽快に許容されるように形成された面内運動ガイドスライダ部２６１を有している。該ベアリングプレート２６０は、コネクタ接続時に後方に押し付けられる力を受けつつ、ムービングピース２１０がホルダー２２０に対してスムーズに相対移動できるようにする。そのため、自己潤滑性のある材料（例えば、ナイロン、ポリアセタール等の合成樹脂）で形成する。ホルダー２２０の背板前面に対する摩擦力を低減するため、スライダ部２６１におけるコネクタ２５１の真裏の部分と、ムービングピース２１０の外周部分のみに、例えばリブを設けて接触面積を小さくしている。この場合、リブとリブの間の空間は、コネクタ用配線ひきまわしガイド部として使用ことができる。
【０１０６】
前記ムービングピース２１０は、本実施形態のように前記構成の３部品をねじ止めしてもよいし、別の変形例としては、誘導ピンを一体形成したコネクタ配設板に嵌め込み式コネクタを固定するように構成し、裏面にベアリング機能を持たせるようにしてもよいし、複数のコネクタを１つの集合コネクタとし、コネクタハウジングに誘導ピンと、ベアリング機能部（リブ等）と、面内運動ガイドスライダ部とを一体形成してもよい。
【０１０７】
（ホルダー２２０の説明）
図５に示すように、ホルダー（保持手段）２２０は、ホルダー２２０の本体の前側を折曲形成した前側の面内運動ガイドレール２２１と、該本体の周囲６箇所に形成した穴２２２からセンタリングばね２７１を臨ませる本体とは別体のセンタリングばね集合形成板２７０とを備えている。ホルダー２２０は、冷間圧延鋼鈑等で形成されると共に、センタリングばね集合形成板２７０は、ばね用ステンレス鋼鈑等で形成され、センタリングばね集合形成板２７０は、ホルダー２２０の所定位置にスポット溶接等で固定されている。
【０１０８】
（ホルダーマウント２３０の説明）
前記ホルダーマウント（取付手段）２３０は、筐体１の背板に固定された矩形の取付ベース板２３５と、該取付ベース板２３５の四隅部に固設されたガイドピン（ガイド手段）２３３と、該ガイドピン２３３の周囲に装着されたコイルバネ２３４と、その上方に配設されたホルダーベース板２３１とから構成されている。取付ベース板２３５上には、前記ガイドピン２３３によりゆるく貫通されてガイドされるようにしたホルダーベース板２３１がコイルバネ２３４上に保持されており、該ガイドピン２３３の大径頭部でホルダーベース板２３１の抜け止めがなされている。ホルダーベース板２３１は、コネクタ分離状態ではコイルバネ２３４によりガイドピン２３３の大径頭部の裏面に押し付けられて位置決めされており、コネクタ分離過程では、コネクタの抜去力を受けるが、ガイドピン２３３の大径頭部で支持される。このホルダーベース板２３１の表面に前記ホルダー２２０が取り付けられている。
【０１０９】
本実施形態のようにガイドピン２３３とコイルバネ２３４により４ヶ所でガイドする機構以外に、別の変形例として、ホルダーベース板２３１をホルダー設置領域から所定距離だけ離れた位置で軸支し、ホルダー設置領域が設置面と垂直方向に移動可能とし、更に軸支方向と平行にコネクタの長手方向を揃えて複数のコネクタを配置するようにホルダー２２０を固定してもよい。このように構成することにより、本来、コネクタは、短手方向の斜め刺さりはある程度許容可能に形成されているものであるが、この変形例によれば、コネクタ長手方向における斜め刺さりを防止することができる。また、第３のガイド機構として、ホルダーベース板２３１をパンタグラフ式に支持すれば、両コネクタが斜めになることがない。
【０１１０】
（コネクタ接続動作の説明）
次に、分離式スロットマシン１００のスロットユニット２を筐体１に装着して、
スロットユニット２のコネクタと筐体側のコネクタとを接続する場合のコネクタ接続動作について説明する。
【０１１１】
図６の（１）に示すように、筐体側コネクタマウントユニットが、筐体の背板に、例えば斜め右下がりぎみに取り付けられていた場合、筐体側コネクタを設けたムービングピース２１０は、接続開始時においては、誘導ピン２４５により、筐体側コネクタがスロットユニット側コネクタと正対する位置に誘導される。図６の（１）において、点線はスロットユニット２のコネクタ配設部４０に設けた誘導穴４７とスロットユニット側コネクタを示している。図６の（２）に示すのは、両コネクタが接続された状態である。ムービングピース２１０は、センタリングばね２２７に逆らって、スロットユニット２のコネクタ配設部４０側に倣った位置と傾きに調整移動された状態を示している。したがって、両コネクタが分離したとき、ムービングピース２１０は、センタリングばね２２７によりホルダー２２０の略中央部分の平行位置に押し戻されるように構成されているものである。
【０１１２】
図７は、電気的接続装置の動作説明図で、スロットユニット２を筐体１の前側から嵌め込んで装着した後で、筐体側コネクタが誘導ピン２４５に誘導されつつ、スロットユニット側コネクタに接続するまでの動作段階を図示している。筐体１の背板前面からスロットユニット２の後面までの距離は、図の（１）の位置で３２ｍｍ、（３）の位置で８ｍｍであり、上段は図３のＤ断面、下段はＣ断面を示す。図示の各段階の動作について説明すると、（１）の段階は、接続開始前において、筐体側コネクタが少し上側にずれている場合を示す。まず、スロットユニット２の誘導穴４７を設けたボス部がムービングピース２１０に設けた誘導ピン２４５に接近する。そして、誘導ピン２４５の円錐部２４７が誘導穴４７の作用によりスロットユニット２の接近に伴ってムービングピース２１０は下方に誘導されて筐体側コネクタ２５１がスロットユニット側コネクタと正対する位置にくる。（２）の段階では、誘導穴４７は、誘導ピン２４５の円柱部２４６に差しかかり、両コネクタの接続の進行に伴って両コネクタの僅かな位置ずれは、ムービングピース２１０の動きにより解消される。そして、両コネクタが接続される状態に進行しつつ、筐体１とスロットユニット２の前後方向の寸法ばらつきを吸収するため、ホルダー２２０は緩衝手段が配置されたホルダーマウント２３０によって支持されている。（３）の段階では、スロットユニット２が筐体１への装着を完了した状態を示しており、スロットユニット２は図外のストッパ、例えばスロットマシンの前扉部が筐体１の前縁に当たって施錠手段によりロックされて停止状態に止まるように構成されている。
【０１１３】
本実施形態の説明では、筐体１側に配設した単数又は複数のコネクタ２５１を移動可能に構成した例について説明したが、これとは逆に、スロットユニット２に配設したコネクタを移動可能に構成してもよいことは勿論である。更に別の変形例として次のような例が考えられる。
【０１１４】
（第２実施形態の例）
図８に、第２実施形態例として示すように、ムービングピース２１０をゴムブロック３３０を介して直接取付ベース板に固定してもよい。この場合、ムービングピース２１０がゴムブロック３３０によって支持されているため、接続時には筐体側、スロットユニット側の両コネクタ間に、挿抜方向と直角な平面内の位置ずれがあっても、誘導ピン等による位置決め誘導手段により誘導される動きを可能にしている。位置決め誘導手段は、どちらか一方又は両方のコネクタの外周部にテーパー案内部を設けるようにしてもよい。
また、このゴムブロック３３０は、大型、大重量のスロットユニットに使用すれば、押込み装着による衝撃を緩和することができ、衝撃的にコネクタが接続されてもゴムによる衝撃吸収でコネクタの保護が達成されるものであって、スロットユニット２と筐体１の前後方向の寸法のばらつきを吸収するためのホルダーマウント２３０のコイルバネの働きも兼ねる。
更に、分離時には、スロットユニット２が分離方向の力を受けることにより、ゴムブロック３３０によって支持されたムービングピース側に設けられた筐体側コネクタとスロットユニット側コネクタは分離が一層軽快になされる。したがって、コネクタの極数が少ない時はこの構成でも充分である。
【０１１５】
（第３実施形態の例）
コネクタ極数が増えて抜去力が増大した場合は、第３実施形態例として図９に示すように、面内運動ガイドレール２２１の前側の抑え部を設ければ、ゴムブロック３３０の支持力を補強することができる。
【０１１６】
第２、第３実施形態例は、ゴムブロック３３０を使用しているため、ムービングピース２１０の可動範囲は、上下、左右に±２ｍｍ程度、前後に±１ｍｍ程度である。
これに対して、第１実施形態では、上下、左右に±６ｍｍ、前後に±４ｍｍであり、スロットユニット２の装着案内精度がそれ程高くなくても、両コネクタを常に良好にコンタクトさせることができる。
【０１１７】
（第４実施形態の例）
図１０に第４実施形態例として示すように、ムービングピース２１０をホルダーマウント２３０のホルダーベース板２３１に直接固定し、該ホルダーベース板２３１を４ヵ所で支持するコイルバネ２３４の一端をホルダーベース板２３１の裏面に形成した円形凹部に圧入すると共に各コイルバネ２３４の他端を取付ベース板２３５の前面に形成した円形凹部に圧入するようにして形成してもよい。更に、本実施形態のホルダーマウント２３０のように、ホルダーベース板２３１を取付ベース板２３５に対して４本のガイドピンで案内支持するようにしても、第２、第３実施形態例と同様の効果が得られる。
【０１１８】
【発明の効果】
本発明は、次の効果を奏するものである。
１．電気機器内蔵ユニットを筐体に機械的に装着するだけでコネクタ接続がなされるため、コネクタユニットを規格統一して使用すれば、スロットマシンの機種替えの作業性が改善されると共にスロットユニットの交換が容易になる。
２．電気機器内蔵ユニットの筐体側コネクタあるいは前記ユニット側コネクタとが互いに多少ずれて固定されていても、コネクタに無理がかかることなく確実にコネクタ同士が接続される。
３．電気機器内蔵ユニットを筐体に勢いよく装着しても、取付手段に設けられた緩衝手段により衝撃が緩和され保護されるので、コネクタが破損することはない。
４．分離式スロットマシンでは、スロットユニットを筐体に装着した時に、同時にコネクタも自動的に接続することができるとともに、コネクタに対する衝撃を緩和すると同時にコネクタ同士の相対位置合わせも調整移動可能にして、確実に電気的接続がなされるようにしたので、スロットユニット交換時における交換作業性を大幅に改善することができるものである。
【図面の簡単な説明】
【図１】分離型スロットマシンの電気的接続装置の概略図。
【図２】コネクタ配設部の説明図。
【図３】コネクタマウントユニットの説明図。
【図４】コネクタマウントユニットの断面図。
【図５】保持手段の分解説明図。
【図６】コネクタマウントユニットの位置調整の説明図。
【図７】本発明の電気的接続装置の動作説明図。
【図８】コネクタマウントユニットの第２実施形態説明図。
【図９】コネクタマウントユニットの第３実施形態説明図。
【図１０】コネクタマウントユニットの第４実施形態説明図。
【符号の説明】
１００　　　　　分離型スロットマシン
１　　　　　筐体
２　　　　　スロットユニット
４０　　　　　　コネクタ配設部
４５　　　　　　コネクタ配設板
４６　　　　　　スロットユニット側コネクタ
４７　　　　　　誘導穴
２００　　　　　　コネクタマウントユニット
２１０　　　　　　ムービングピース
２２０　　　　　　ホルダー
２３０　　　　　　ホルダーマウント
２２７　　　　　　センタリングばね
２４５　　　　　　誘導ピン
２５１　　　　　　筐体側コネクタ
【図１】
2004129945.tif 000003
【図２】
2004129945.tif 000004
【図３】
2004129945.tif 000005
【図４】
2004129945.tif 000006
【図５】
2004129945.tif 000007
【図６】
2004129945.tif 000008
【図７】
2004129945.tif 000009
【図８】
2004129945.tif 000010
【図９】
2004129945.tif 000011
【図１０】
2004129945.tif 000012